(57)【要約】【課題】コンパクトに収容することができるとともに、上着を良好な状態として吊り下げることが可能な椅子を提供する。【解決手段】椅子１は、脚部１０と、該脚部１０に支持された座部２０と、該座部２０の後方に設けられた背部３０とを備え、互いに、前記座部２０を積み重ね可能とした椅子１であって、前記背部３０が、少なくともその上部が上方に向かうにしたがって後方に傾斜するように形成され、少なくともその一部が前記背部３０の後方に設けられ、物品を吊り下げる吊り下げ部４０を備えることを特徴とする。【選択図】図１
2014014519.tif 000002
【特許請求の範囲】
【請求項１】
脚部と、
該脚部に支持された座部と、
該座部の後方に設けられた背部とを備え、
互いに、前記座部を積み重ね可能とした椅子であって、
前記背部が、少なくともその上部が上方に向かうにしたがって後方に傾斜するように形成され、
少なくともその一部が前記背部の傾斜している部分の後方に設けられ、物品を吊り下げる吊り下げ部を備えることを特徴とする椅子。
【請求項２】
請求項１に記載の椅子において、
前記吊り下げ部は、
互いに、前記座部を積み重ねた場合に、自身の前記背部と自身の下に位置する他の椅子の前記背部との間に配設されていることを特徴とする椅子。
【請求項３】
請求項１または請求項２に記載の椅子において、
前記吊り下げ部は、
前記椅子の幅方向の両側から立設する一対の第一立設部と、
一対の該第一立設部から前記背部の後方において互いに接近する方向に延出する一対の延出部とを有することを特徴とする椅子。
【請求項４】
請求項３に記載の椅子において、
前記吊り下げ部は、
一対の前記延出部から立設する一対の第二立設部と、
一対の該第二立設部を互いに連結する連結部とを有することを特徴とする椅子。
【請求項５】
請求項１から請求項４のいずれか一項に記載の椅子において、
前記吊り下げ部は、前記脚部から上方に延出するように設けられ、該脚部と一体として形成されていることを特徴とする椅子。
【請求項６】
請求項１または請求項２に記載の椅子において、
前記吊り下げ部は、前記背部の後面に取り付けられていることを特徴とする椅子。
【請求項７】
請求項６に記載の椅子において、
前記吊り下げ部は、
前記背部に設けられた固定部と、
該固定部から該背部の幅方向の両側に延出する吊り下げ本体とを有することを特徴とする椅子。
【請求項８】
請求項１から請求項７のいずれか一項に記載の椅子において、
前記吊り下げ部は、前記脚部又は前記背部に着脱可能に設けられていることを特徴とする椅子。
【発明の詳細な説明】
【技術分野】
【０００１】
本発明は、椅子に関するものである。
【背景技術】
【０００２】
一般に、ホールや会議室等には、利用者が着座できるように多数の椅子が設けられている。これらの椅子は、会議室の利用者の人数に応じて配設され、会議室を利用しない場合には倉庫等の収容スペースに収容されている。
【０００３】
このような椅子としては、下記の特許文献1に記載の椅子が提案されている。この椅子は、脚部と、該脚部に支持された座部と、座部の後方に設けられた背部とを備えている。この脚部は、前方に配設される一対の前脚と、後方に配設される一対の後脚とを有しており、前脚及び後脚が上方から下方に向かうにしたがって拡開されて形成され、一対の後脚の離間距離が一対の前脚の離間距離よりも大きく設定されている。このような構成では、一の椅子の上方且つ前方に他の椅子を積み重ねることができ、複数の椅子をコンパクトに収容することが可能となる。
【０００４】
上記のように構成された椅子を利用者が利用する際には、該利用者は着ていた上着を背部にかけて座部に着座することが多い。この場合、利用者が背部にもたれると、背中が上着の襟付近に接触し又は襟付近を背部側に押圧するため、該襟部が汚れたり、摩擦によりこすれて上着が劣化する等の不具合があった。
【０００５】
そこで、背部の後面に、後方に突出するハンガーが設けた椅子が提案されている（下記特許文献２参照）。このような椅子では、背部の後面に設けられたハンガーに上着をかけることができるため、上着の状態を良好としたまま、利用者は座部に着座することができる。
【先行技術文献】
【特許文献】
【０００６】
【特許文献１】特開２０１０−９４３８９号公報
【特許文献２】実開昭４８−９９３１５号公報
【発明の概要】
【発明が解決しようとする課題】
【０００７】
しかしながら、上記の特許文献２では、利用者が椅子に着座時に上着を良好な状態としてかけることができるものの、複数の椅子を上下方向に積み重ねた場合には下位の椅子の座部の上に上位の椅子の脚部が配設されて安定感が悪いばかりか、コンパクトに収容することができないという問題点がある。
【０００８】
本発明は、上記事情に鑑みてなされたものであり、コンパクトに収容することができるとともに、上着を良好な状態として吊り下げることが可能な椅子を提供するものである。
【課題を解決するための手段】
【０００９】
上記目的を達成するために、本発明は以下の手段を採用している。
すなわち、本発明に係る椅子は、脚部と、該脚部に支持された座部と、該座部の後方に設けられた背部とを備え、互いに、前記座部を積み重ね可能とした椅子であって、前記背部が、少なくともその上部が上方に向かうにしたがって後方に傾斜するように形成され、少なくともその一部が前記背部の傾斜している部分の後方に設けられ、物品を吊り下げる吊り下げ部を備えることを特徴とする椅子。
【００１０】
このような椅子では、座部が互いに積み重ね可能であるとともに吊り下げ部が背部の後方に配設されているため、複数の椅子を積み重ねてコンパクトに収容することができる。また、吊り下げ部に上着をかけることができるため、該上着を良好な状態として吊り下げることができる。
【００１１】
また、本発明に係る椅子は、前記吊り下げ部は、互いに、前記座部を積み重ねた場合に、自身の前記背部と自身の下に位置する他の椅子の前記背部との間に配設されていることが好ましい。
【００１２】
このような椅子では、複数の椅子を積み重ねた場合に、吊り下げ部が自身の椅子の背部と下に位置する椅子の背部との間に配設されるため、該吊り下げ部が自身の背部及び下に位置する背部にあたることなく、コンパクトに収容できる。
【００１３】
また、本発明に係る椅子は、前記吊り下げ部は、前記椅子の幅方向の両側から立設する一対の第一立設部と、一対の該第一立設部から前記背部の後方において互いに接近する方向に延出する一対の延出部とを有していることが好ましい。
【００１４】
このような椅子では、背部の後方に一対の延出部が配設されているため、正面からは吊り下げ部が目立たず椅子の外観を向上させることができる。
【００１５】
また、本発明に係る椅子は、前記吊り下げ部は、一対の前記延出部から立設する一対の第二立設部と、一対の該第二立設部を互いに連結する連結部とを有することが好ましい。
【００１６】
このような椅子では、第一立設部と第二立設部により連結部が高い位置にあるため、上着を高い位置にある連結部に吊り下げることができる。よって、上着の下部が床面に接触することを防いで、該上着を体裁良く吊り下げることができる。
【００１７】
また、本発明に係る椅子は、前記吊り下げ部は、前記脚部から上方に延出するように設けられ、該脚部と一体として形成されていてもよい。
【００１８】
このような椅子では、吊り下げ部が脚部と一体とされているため、該吊り下げ部の強度を確保することができる。
【００１９】
また、本発明に係る椅子は、前記吊り下げ部は、前記背部の後面に取り付けられていることが好ましい。
【００２０】
このような椅子では、吊り下げ部が背部の後面に取り付けられているため、正面からは吊り下げ部が目立たず椅子の外観を向上させることができる。
【００２１】
また、本発明に係る椅子は、前記吊り下げ部は、前記背部に設けられた固定部と、該固定部から該背部の幅方向の両側に延出する吊り下げ本体とを有していてもよい。
【００２２】
このような椅子では、幅方向の両側に延出する吊り下げ本体に、上着を安定的に吊り下げることができる。
【００２３】
また、本発明に係る椅子は、前記吊り下げ部は、前記脚部又は前記背部に着脱可能に設けられていてもよい。
【００２４】
このような椅子では、吊り下げ部に上着をかけない場合には、吊り下げ部を椅子から取り外すことで、吊り下げ部の無い通常の椅子としての形態をとることができる。
【発明の効果】
【００２５】
本発明に係る椅子によれば、座部が互いに積み重ね可能とされているとともに吊り下げ部が背部の後方に配設されているため、複数の椅子を積み重ねてコンパクトに収容することができる。また、吊り下げ部に上着をかけることができるため、該上着を良好な状態として吊り下げることができる。
【図面の簡単な説明】
【００２６】
【図１】本発明の第一実施形態に係る椅子を正面視した斜視図である。
【図２】本発明の第一実施形態に係る椅子を斜め後方から見た斜視図である。
【図３】本発明の第一実施形態に係る椅子を複数積み重ねた状態を示す斜視図である。
【図４】本発明の第一実施形態に係る椅子を複数積み重ねた状態を示す側面視した図である。
【図５】本発明の第一実施形態に係る椅子に上着をかけた状態の斜視図である。
【図６】本発明の第二実施形態に係る椅子を斜め後方から見た斜視図である。
【図７】本発明の第二実施形態に係る椅子を斜め前方から見た斜視図である。
【図８】本発明の第二実施形態に係る椅子を複数積み重ねた状態を示す側面視した図である。
【図９】本発明の第三実施形態に係る椅子を斜め後方から見た斜視図である。
【図１０】本発明の第四実施形態に係る椅子を斜め後方から見た斜視図である。
【図１１】本発明の第五実施形態に係る椅子を斜め後方から見た斜視図である。
【図１２】本発明の第六実施形態に係る椅子を斜め後方から見た斜視図である。
【図１３】本発明の第六実施形態に係る椅子を構成する吊り下げ部を脚部から取り外した斜視図である。
【図１４】本発明の第六実施形態に係る椅子を構成する脚部と吊り下げ部とを分解した断面図である。
【発明を実施するための形態】
【００２７】
（椅子）
以下、本発明の一実施形態に係る椅子について説明する。
図１及び図２に示すように、椅子１は、床面Ｆから立設する脚部１０と、該脚部１０に支持された座部２０と、該座部２０の後方に設けられた背部３０と、背部３０に設けられ上着等の物品を吊り下げる吊り下げ部４０とを備えている。
なお、便宜上、図１に示す紙面の左右方向を左右方向と称し、紙面の奥行き方向を前後方向と称し、紙面の上下方向を上下方向と称する。
【００２８】
（脚部）
脚部１０は、左右一対で構成され、左脚部１１と右脚部１２とを有している。
左脚部１１、右脚部１２は、それぞれ前方に配設された前脚１３と、後方に配設された後脚１４と、該前脚１３の上部と後脚１４の上部とを互いに連結する上連結杆１５と、前脚１３の下部と後脚１４の下部とを互いに連結する下連結杆１６とを有しており、一体として形成されている。
【００２９】
具体的には、後脚１４から、該後脚１４の下端で湾曲して前方に延出するように下連結杆１６が形成されている。この下連結杆１６から、該下連結杆１６の前端で湾曲して上方に延出するように前脚１３が形成されている。この前脚１３から、該前脚１３の上端で湾曲して後方に延出するようにして上連結杆１５が形成されている。
【００３０】
このように形成された脚部１０は、例えばアルミニウムや、アルミニウム合金又はステンレス等の金属で成形されている。
【００３１】
前脚１３及び後脚１４は、上方から下方に向かうにしたがって左右方向外側に向かうように形成されている。また、一対の前脚１３の離間距離は、床面から同じ高さにおける一対の後脚１４の離間距離よりも大きい。よって、下連結杆１６は、前方から後方に向かうにしたがって左右方向外側に向かって拡開するように形成されている。
【００３２】
これにより、図３に示すように、複数の椅子１の座部２０を互いに積み重ねる場合には、下に配設された下位の椅子１の前脚１３及び後脚１４の上方且つ前方に、上方に配設された上位の椅子１の前脚１３及び後脚１４が位置するように、複数の椅子１を順次上方に積み重ねることが可能とさている。
なお、積み重ね可能な構造としては周知の構造が採用可能である。
【００３３】
また、図２に示すように、下連結杆１６の後部には、床面Ｆに当接する当接部材１６Ａが設けられている。この当接部材１６Ａは例えば樹脂で形成され、椅子１が床面Ｆ上に設置された際に、該椅子１が左右方向及び前後方向に移動することを規制する役割を担っている。
【００３４】
上連結杆１５の後端には、湾曲して上方に向かって延出する後方延出部１５Ａが形成されている。この後方延出部１５Ａの左右方向外側には後脚１４の上端１４Ａが配設され、これら後方延出部１５Ａ及び後脚１４の上端１４Ａはともに背部３０に組みつけられている。
【００３５】
また、一対の前脚１３の上部は互いに前フレーム１９にて連結されている。この前フレーム１９は、座部２０に着座する利用者の体重が一対の前脚１３に作用する際に、該前脚１３が左右方向外側に拡開することを防ぐ役割を担っている。
【００３６】
また、一対の上連結杆１５の間には、利用者の着座を可能とする座部２０が設けられている。
【００３７】
（座部）
座部２０は、板状部材で形成され、左右両縁部が一対の上連結杆１５の上面に配設されるように、該上連結杆１５に固定されている。
【００３８】
座部２０の後部の右角及び左角には、それぞれ内方に向かって凹む座切欠き部２１Ａが形成されている。また、座部２０の後部には、座切欠き部２１Ａから左右方向内側に向かうにしたがって後方に膨らむように座湾曲部２１Ｂが形成されている。この座湾曲部２１Ｂは、座部２０に着座する利用者の臀部を安定的に支持する役割を担っている。
【００３９】
（背部）
背部３０は、板状部材で形成され脚部１０に支持されており、座部２０に着座する利用者の背中を支持可能とされている。
【００４０】
この背部３０は、上部が上方に向かうにしたがって後方に傾斜するように形成されている。これにより、座部２０に着座する利用者の背中をより安定的に支持することが可能とされている。
【００４１】
また、背部３０は、略矩形状に形成された背本体３１と、該背本体３１の左右両側の下部から左右方向外側に向かって延出しその高さが背本体３１の高さよりも小さい背延出部３２とを有している。
【００４２】
背本体３１の上部には、板厚方向に貫通する貫通孔３１Ａが形成されている。この貫通孔３１Ａに利用者の手がかかることで、該利用者は椅子１を運搬することが可能とされている。
【００４３】
背延出部３２の下部には、上連結杆１５の後方延出部１５Ａ及び後脚１４の上端１４Ａが組みつけられており、これにより背部３０は脚部１０に支持されている。
【００４４】
また、背延出部３２の上部は、左右方向外側に向かうにしたがって下方に向かうように傾斜する背傾斜部３３が形成されている。この背傾斜部３３には吊り下げ部４０が固定されている。
【００４５】
（吊り下げ部）
吊り下げ部４０は、棒状部材で形成され、背傾斜部３３から背部３０の後方に向かって延出している。
詳細には、吊り下げ部４０は、椅子１の左右方向（幅方向）の両側に位置する背部３０の背延出部３２から上方且つ後方に立設する一対の第一立設部４１と、一対の該第一立設部４１の上端から背部３０の後方において互いに近接する方向である左右方向内側に向かって延出する一対の吊り下げ延出部４２（延出部）とを有している。
【００４６】
さらに、吊り下げ部４０は、一対の吊り下げ延出部４２の端部から上方且つ後方に向かって立設する一対の第二立設部４３と、一対の該第二立設部４３の上端を互いに連結する吊り下げ連結部４４（連結部）とを有している。
【００４７】
上記のように、吊り下げ部４０の少なくとも一部である吊り下げ延出部４２及び第二立設部４３は、背部３０の傾斜している部分である背部３０の上部の後方に設けられている。
【００４８】
また、図４に示すように、複数の椅子１の座部２０を互いに積み重ねた場合には、吊り下げ部４０の少なくとも一部である吊り下げ延出部４２及び第二立設部４３は、自身の椅子１の背部３０と下位の椅子１の背部３０との間に配設されている。
【００４９】
このように構成された椅子１では、複数の椅子１の座部２０を互いに積み重ねた場合に、上位の椅子１の吊り下げ延出部４２及び第二立設部４３が、該上位の椅子１の背部３０と下位の椅子１の背部３０との間に配設される。よって、吊り下げ部４０が上位の背部３０及び下位の背部３０にあたることがなく、コンパクトに収容することができる。
【００５０】
また、図５に示すように、吊り下げ連結部４４に上着の襟周りを当接させるようにして、吊り下げ部４０に上着Ｂ等をかけることができるため、該上着Ｂを良好な状態として吊り下げることができる。
【００５１】
さらに、第一立設部４１と第二立設部４３により吊り下げ連結部４４が高い位置にあるため、上着Ｂを高い位置にある吊り下げ連結部４４に吊り下げることができる。よって、上着Ｂの下部が床面Ｆに接触することを防いで、該上着を体裁良く吊り下げることができる。
【００５２】
また、吊り下げ延出部４２及び第二立設部４３が背部３０の後方に配設されているため、正面からは吊り下げ部４０が目立たず、椅子１の外観を向上させることができる。
【００５３】
（第二実施形態）
以下、本発明の第二実施形態に係る椅子２０１について、図６，７，８を用いて説明する。
この実施形態において、前述した実施形態で用いた部材と共通の部材には同一の符号を付して、その説明を省略する。
【００５４】
第一実施形態における椅子１では、吊り下げ部４０は背部３０の背延出部３２に設けられている。一方、本実施形態のおける椅子２０１では、吊り下げ部２４０は背部３０の背本体３１に設けられている。
【００５５】
椅子２０１における吊り下げ部２４０は、背部３０の背本体３１の後面に設けられた吊り下げ固定部２４１（固定部）と、該吊り下げ固定部２４１から左右方向外側（幅方向の両側）に延出する吊り下げ本体２４２とを有している。
【００５６】
吊り下げ固定部２４１は、背本体３１の後面に配設された後面プレート２４３と、該後面プレート２４３から上方に向かって延出する吊り下げ支持部２４４とを有している。
吊り下げ本体２４２は、直線状に形成され、吊り下げ支持部２４４の上端に設けられている。
【００５７】
後面プレート２４３が背本体３１にビス２４９等で螺合されることで、吊り下げ部２４０は背本体３１に固定されている。
【００５８】
このように構成された椅子２０１では、吊り下げ固定部２４１が背本体３１の後面に取り付けられているため、正面から吊り下げ部２４０の固定部分である後面プレート２４３が見えず椅子２０１の外観を向上させることができる。
【００５９】
また、吊り下げ部２４０に上着をかける場合には、左右方向に延在する吊り下げ本体２４２に、上着の襟周りから肩部分までをかけることができる。よって、上着を吊り下げ部２４０に安定的に吊り下げることができるため、該上着が落下することを防止することができる。
【００６０】
（第三実施形態）
以下、本発明の第三実施形態に係る椅子３０１について、図９を用いて説明する。
この実施形態において、前述した実施形態で用いた部材と共通の部材には同一の符号を付して、その説明を省略する。
【００６１】
第二実施形態における椅子２０１では、吊り下げ本体２４２は後面プレート２４３の上方に位置している。一方、本実施形態のおける椅子３０１では、吊り下げ本体３４２は後面プレート２４３の下方に位置している。
【００６２】
椅子３０１における吊り下げ部３４０を構成する吊り下げ固定部３４１は、後面プレート２４３から下方に向かって延出する吊り下げ支持部３４４を有している。
【００６３】
吊り下げ支持部３４４は、後面プレート２４３から後方に向かって突出する吊り下げ突出部３４５と、該吊り下げ突出部３４５の端部から垂下する吊り下げ垂下部３４６とを有している。
また、吊り下げ本体３４２は、吊り下げ垂下部３４６の下端に設けられている。
【００６４】
このように構成された椅子３０１では、吊り下げ固定部３４１が背本体３１の後面に取り付けられ、正面から吊り下げ部３４０が見えない。よって、正面からは吊り下げ部３４０を設けない通常の椅子と同様の美観を奏するため、椅子３０１の外観を一層向上させることができる。
【００６５】
（第四実施形態）
以下、本発明の第四実施形態に係る椅子４０１について、図１０を用いて説明する。
この実施形態において、前述した実施形態で用いた部材と共通の部材には同一の符号を付して、その説明を省略する。
【００６６】
第三実施形態における椅子３０１では、吊り下げ本体３４２は直線状に形成されている。一方、本実施形態のおける椅子４０１では、吊り下げ本体４４２は吊り下げ垂下部３４６の下端で屈曲して形成されている。
【００６７】
椅子４０１における吊り下げ部４４０を構成する吊り下げ本体４４２は、吊り下げ垂下部３４６の下端から左右方向外側に向かうにしたがって下方に向かうように、該吊り下げ垂下部３４６の下端を中心として屈曲して形成されている。
また、吊り下げ本体４４２の端部は、互いに連結部材４４３により連結されている。
【００６８】
このように構成された椅子４０１では、吊り下げ部４４０に上着をかける場合には、左右方向外側に向かうにしたがって下方に向かうように形成された吊り下げ本体４４２が、上着の襟周りから肩部分までの傾斜と対応している。よって、上着を吊り下げ部４４０により安定的に吊り下げることができるため、該上着が落下することを防止することができる。
【００６９】
（第五実施形態）
以下、本発明の第五実施形態に係る椅子５０１について、図１１を用いて説明する。
この実施形態において、前述した実施形態で用いた部材と共通の部材には同一の符号を付して、その説明を省略する。
【００７０】
第一実施形態における椅子１では、吊り下げ部４０は、背部３０の背傾斜部３３に固定され脚部１０とは別部材で構成されている。一方、本実施形態のおける椅子５０１では、吊り下げ部５４０は、脚部１０から上方に延出するように設けられ該脚部１０と一体として形成されている。
【００７１】
吊り下げ部５４０は、脚部１０と一体とされ、後脚１４の上端から上方且つ後方に延出する一対の第一立設部５４１と、一対の該第一立設部５４１の上端から背部３０の後方において左右方向内側に向かって延出する吊り下げ延出部５４２とを有している。
【００７２】
吊り下げ延出部５４２は、第一立設部５４１の上端から左右方向内側に向かうにしたがって上方に傾斜するように形成された一対の第一延出部５４３と、一対の該第一延出部５４３を連結する第二延出部５４４とを有している。
この第二延出部５４４は、背部３０の後方に配設されている。
【００７３】
背部３０は、第一立設部５４１の前面に配設され、該背部３０の背延出部５３２の下部には上連結杆１５の後方延出部１５Ａが組みつけられている。
【００７４】
このように構成された椅子５０１では、吊り下げ部５４０が脚部１０と一体として形成されているため、該吊り下げ部５４０の強度を確保することができる。例えば、吊り下げ部５４０に重量のある上着をかけた場合でも、椅子５０１全体として確実に支持することができる。
【００７５】
（第六実施形態）
以下、本発明の第六実施形態に係る椅子６０１について、図１２，１３，１４を用いて説明する。
この実施形態において、前述した実施形態で用いた部材と共通の部材には同一の符号を付して、その説明を省略する。
【００７６】
第一実施形態における椅子１では、吊り下げ部４０は、座部２０の背傾斜部３３に固定されている。一方、本実施形態のおける椅子６０１では、吊り下げ部６４０は、脚部１０に着脱可能に設けられている。
【００７７】
椅子６０１の吊り下げ部６４０の一対の第一立設部６４１は、取付部材６５０を介してそれぞれ後脚１４に固定されている。
取付部材６５０は、後脚１４に設けられた第一取付部６５１と、該第一取付部６５１に固定され第一立設部６４１が設けられた第二取付部６６１とを有している。
【００７８】
第一取付部６５１は、断面視コ字状に形成され、後脚１４の左右方向外側の面から突出する一対の第一対向壁部６５２と、一対の該第一対向壁部６５２を連結する第一連結壁部６５３とを有している。
【００７９】
第一連結壁部６５３には、上下方向に離間して板厚方向に貫通する第一ネジ孔６５４が形成されている。
【００８０】
第二取付部６６１は、対向する一対の第二対向壁部６６２Ａ，６６２Ｂと、一対の該第二対向壁部６６２Ａ，６６２Ｂを連結する第二連結壁部６６３と、第二対向壁部６６２の上部及び第二連結壁部６６３の上部を連結する上壁部６６５とを有している。
【００８１】
後方に配設される第二対向壁部６６２Ａには、その後面に沿って吊り下げ部６４０の第一立設部６４１が設けられている。本実施形態では、第一立設部６４１は、第二対向壁部６６２Ａに例えば溶接で固定されている。
【００８２】
第二連結壁部６６３には、上下方向に離間して板厚方向に貫通する第二ネジ孔６６４が形成されている。この第二ネジ孔６６４は、第一ネジ孔６５４に対応した位置に形成されている。
【００８３】
第一対向壁部６５２及び第一連結壁部６５３のそれぞれの外側に第二対向壁部６６２Ａ，６６２Ｂ及び第二連結壁部６６３が配設されている。
【００８４】
この状態で、第二連結壁部６６３の外側からネジ６６９が第二ネジ孔６６４及び第一ネジ孔６５４に螺合されることで、吊り下げ部６４０は第一取付部６５１及び第二取付部６６１を介して脚部１０に固定されている。
【００８５】
一方、ネジ６６９を第二ネジ孔６６４及び第一ネジ孔６５４から取り外せば、吊り下げ部６４０及び第二取付部６６１は脚部１０及び第一取付部６５１から取り外される。
【００８６】
このように構成された椅子６０１では、吊り下げ部６４０に上着をかけない場合には、該吊り下げ部６４０を椅子６０１から取り外すことで、吊り下げ部６４０の無い通常の椅子としての形態をとることができる。よって、使用状況に応じて、吊り下げ部６４０を有する椅子６０１又は吊り下げ部６４０を有さない椅子６０１の両方の形態をとることができるため、利便性を高めることができる。
【００８７】
また、上述した実施の形態において示した動作手順、あるいは各構成部材の諸形状や組み合わせ等は一例であって、本発明の主旨から逸脱しない範囲において設計要求等に基づき種々変更可能である。
【００８８】
例えば、上記に示す吊り下げ部４０等は、棒状部材で形成されているがこれに限られず、板状部材で形成されていてもよい。
【００８９】
また、第一実施形態において、吊り下げ部４０の第一立設部４１が背部３０の背傾斜部３３に着脱自在に設けられていてもよい。着脱自在な構造としては、例えば第一立設部４１の側面に凸部が形成され、該第一立設部４１を背傾斜部３３の設けられた穴部に挿入して穴部の側面に形成された凹部に係合させる構成（不図示）等が挙げられる。
【００９０】
第一実施形態において、利用者は吊り下げ連結部４４に手をかけて椅子１の運搬をすることもできる。この場合には、背本体３１に貫通孔３１Ａを設けなくてもよい。
【００９１】
また、脚部１０の下端にキャスターを設ければ、椅子１の運搬性を向上させることができる。
【符号の説明】
【００９２】
１…椅子
１０…脚部
２０…座部
３０…背部
４０…吊り下げ部
４１…第一立設部
４２…吊り下げ延出部（延出部）
４３…第二立設部
４４…吊り下げ連結部（連結部）
２４１…吊り下げ固定部（固定部）
２４２…吊り下げ本体
【図１】
2014014519.tif 000003
【図２】
2014014519.tif 000004
【図３】
2014014519.tif 000005
【図４】
2014014519.tif 000006
【図５】
2014014519.tif 000007
【図６】
2014014519.tif 000008
【図７】
2014014519.tif 000009
【図８】
2014014519.tif 000010
【図９】
2014014519.tif 000011
【図１０】
2014014519.tif 000012
【図１１】
2014014519.tif 000013
【図１２】
2014014519.tif 000014
【図１３】
2014014519.tif 000015
【図１４】
2014014519.tif 000016